【手続補正書】
【提出日】平成23年4月25日(2011.4.25)
【手続補正１】
【補正対象書類名】特許請求の範囲
【補正対象項目名】全文
【補正方法】変更
【補正の内容】
【特許請求の範囲】
【請求項１】
複合構造を製造する方法であって、
基板上に複数のカーボンナノチューブを作製するステップ、
基板を第１繊維層に付着させるステップ、
第２繊維層を第１繊維層に隣接して配置することにより複数のカーボンナノチューブを第１繊維層及び第２繊維層の間に配置するステップ、
第１及び第２繊維層に樹脂を注入するステップ、及び
樹脂を硬化させて複合構造を硬化させるステップ
を含む方法。
【請求項２】
基板が接着層を含み、基板を第１繊維層に付着させるステップが、接着層と第１繊維層を加熱して基板を第１繊維層に溶解接着させるステップを含む、請求項１に記載の方法。
【請求項３】
基板が第１側面及び第２側面を有し、基板上に複数のカーボンナノチューブを作製するステップが、基板の第１側面から少なくともおおむね垂直に延びるカーボンナノチューブの第１部分を作製し、基板の第２側面から少なくともおおむね垂直に延びるカーボンナノチューブの第２部分を作製するステップを含む、請求項１に記載の方法。
【請求項４】
複数のカーボンナノチューブを第１繊維層及び第２繊維層の間に配置するステップが、複数のカーボンナノチューブを、第１及び第２繊維層に対して少なくともおおむね垂直に延びるように方向付けするステップを含む、請求項１に記載の方法。
【請求項５】
基板と第１及び第２繊維層に樹脂を注入するステップが、第２繊維層を基板に隣接させて配置する前に、基板と第１繊維層に予め樹脂の第１部分を含浸させ、第２繊維層に予め樹脂の第２部分を含浸させるステップを含む、請求項１に記載の方法。
【請求項６】
複合構造が航空機の複合構造であり、当該方法がさらに、航空機の一部分に硬化した複合構造を取り付けるステップを含む、請求項１に記載の方法。
【請求項７】
複合構造用のカーボンナノチューブ強化中間層アセンブリを製造する方法であって、
柔軟基板上に複数のカーボンナノチューブを生成するステップ、及び
柔軟基板を繊維層に付着させるステップ
を含む方法。
【請求項８】
基板が第１側面と第２側面を有し、柔軟基板上に複数のカーボンナノチューブを生成するステップが、基板の第１側面から少なくともおおむね垂直に延びるカーボンナノチューブの第１部分を作製し、基板の第２側面から少なくともおおむね垂直に延びるカーボンナノチューブの第２部分を作製するステップを含む、請求項７に記載の方法。
【請求項９】
柔軟基板を繊維層に付着させるステップが、繊維層をほぼ垂直なカーボンナノチューブでおおむね均一な配分で覆うステップを含む、請求項７に記載の方法。
【請求項１０】
柔軟基板に接着層を積層するステップをさらに含み、繊維層に柔軟基板を付着させるステップが接着層の少なくとも一部を溶かすステップを含む、請求項７に記載の方法。
【請求項１１】
第１繊維層；
第２繊維層；
第１及び第２繊維層の間に配置されて、
基板；及び
基板に付着され且つ基板に対して少なくともおおむね垂直である複数のカーボンナノチューブ；
を含む中間層；ならびに、
第１及び第２繊維層に注入されたマトリクス材
を備える、複合構造。
【請求項１２】
複数のカーボンナノチューブが、基板の第１側面から延びる複数の第１カーボンナノチューブであり、中間層が、基板の第２側面から延びる複数の第２カーボンナノチューブをさらに含む、請求項１１に記載の複合構造。
【請求項１３】
複合構造を製造するシステムであって、
基板上に複数のカーボンナノチューブを作製する手段と、
複数のカーボンナノチューブが第１繊維層から離れて延びるように基板を第１繊維層に付着させる手段と、
基板の上に第２繊維層を配置して、第１繊維層及び第２繊維層の間に複数のカーボンナノチューブを配置する手段と
を備えるシステム。
【手続補正２】
【補正対象書類名】明細書
【補正対象項目名】００３９
【補正方法】変更
【補正の内容】
【００３９】
前述したように、当然ながら本発明の特定の実施形態を図示目的で本明細書に説明したが、本発明の様々な実施形態の思想及び範囲を逸脱することなく、種々の修正を施すことが可能である。さらに、本発明の特定の実施形態に関連する種々の利点をこれらの実施形態において上述したが、他の実施形態でも上記利点を得ることができ、また全ての実施形態が本発明の範囲内に収まるために上記利点を必ずしも呈する必要はない。したがって、本発明は添付の請求項による以外には限定されることはない。
また、本発明は以下に記載する態様を含む。
（態様１）
複合構造を製造する方法であって、
基板上に複数のカーボンナノチューブを作製するステップ、
基板を第１繊維層に付着させるステップ、
第２繊維層を第１繊維層に隣接して配置することにより複数のカーボンナノチューブを第１繊維層及び第２繊維層の間に配置するステップ、
第１及び第２繊維層に樹脂を注入するステップ、及び
樹脂を硬化させて複合構造を硬化させるステップ
を含む方法。
（態様２）
基板を第１繊維層に付着させるステップが、第１繊維層に基板を接着するステップを含む、態様１に記載の方法。
（態様３）
基板が接着層を含み、基板を第１繊維層に付着させるステップが、接着層と第１繊維層を加熱して基板を第１繊維層に溶解接着させるステップを含む、態様１に記載の方法。
（態様４）
基板を第１繊維層に付着させるステップが、基板を第１繊維層に機械的に留め付けるステップを含む、態様１に記載の方法。
（態様５）
基板を第１繊維層に付着させるステップが、基板を糸で第１繊維層に縫合するステップを含む、態様１に記載の方法。
（態様６）
基板上に複数のカーボンナノチューブを作製するステップが、柔軟基板上に複数のカーボンナノチューブを生成するステップを含む、態様１に記載の方法。
（態様７）
基板が第１側面及び第２側面を有し、基板上に複数のカーボンナノチューブを作製するステップが、基板の第１側面から少なくともおおむね垂直に延びるカーボンナノチューブの第１部分を作製し、基板の第２側面から少なくともおおむね垂直に延びるカーボンナノチューブの第２部分を作製するステップを含む、態様１に記載の方法。
（態様８）
複数のカーボンナノチューブを第１繊維層及び第２繊維層の間に配置するステップが、複数のカーボンナノチューブを、第１及び第２繊維層に対して少なくともおおむね垂直に延びるように方向付けするステップを含む、態様１に記載の方法。
（態様９）
基板と第１及び第２繊維層に樹脂を注入するステップが、第２繊維層を基板に隣接させて配置する前に、基板と第１繊維層に予め樹脂の第１部分を含浸させ、第２繊維層に予め樹脂の第２部分を含浸させるステップを含む、態様１に記載の方法。
（態様１０）
基板上に複数のカーボンナノチューブを作製するステップが、第１柔軟基板上に複数の第１カーボンナノチューブを生成するステップを含み、基板を第１繊維層に付着させるステップが、第１柔軟基板と第１繊維層を加熱して、第１柔軟基板を第１繊維層に溶解接着させるステップを含み、当該方法がさらに、
第２柔軟基板上に複数の第２カーボンナノチューブを生成するステップ、
第２柔軟基板と第２繊維層を加熱して、第２柔軟基板を第２繊維層に溶解接着するステップ、及び
第３繊維層を第２繊維層に隣接して配置することにより、複数の第２カーボンナノチューブを第２繊維層と第３繊維層の間に配置するステップを含み、
第１及び第２繊維層に樹脂を注入するステップが、第１及び第２柔軟基板と、第１、第２、及び第３繊維層に樹脂を注入するステップを含む、態様１に記載の方法。
（態様１１）
第３繊維層の上に追加のカーボンナノチューブ強化繊維層を積層させるステップをさらに含む、態様１０に記載の方法。
（態様１２）
複合構造が航空機の複合構造であり、当該方法がさらに、航空機の一部分に硬化した複合構造を取り付けるステップを含む、態様１に記載の方法。
（態様１３）
複合構造用のカーボンナノチューブ強化中間層アセンブリを製造する方法であって、
柔軟基板上に複数のカーボンナノチューブを生成するステップ、及び
柔軟基板を繊維層に付着させるステップ
を含む方法。
（態様１４）
柔軟基板上に複数のカーボンナノチューブを生成するステップが、化学蒸着法で遷移金属触媒上に複数のカーボンナノチューブを生成するステップを含み、柔軟基板を繊維層に付着させるステップが、基板及び繊維層を加熱することにより、基板の少なくとも一部を溶かしてカーボンナノチューブを繊維層に接着するステップを含む、態様１３に記載の方法。
（態様１５）
基板が第１側面と第２側面を有し、柔軟基板上に複数のカーボンナノチューブを生成するステップが、基板の第１側面から少なくともおおむね垂直に延びるカーボンナノチューブの第１部分を作製し、基板の第２側面から少なくともおおむね垂直に延びるカーボンナノチューブの第２部分を作製するステップを含む、態様１３に記載の方法。
（態様１６）
柔軟基板を繊維層に付着させるステップが、繊維層をほぼ垂直なカーボンナノチューブでおおむね均一な配分で覆うステップを含む、態様１３に記載の方法。
（態様１７）
柔軟基板に接着層を積層するステップをさらに含み、繊維層に柔軟基板を付着させるステップが接着層の少なくとも一部を溶かすステップを含む、態様１３に記載の方法。
（態様１８）
柔軟基板上に複数のカーボンナノチューブを生成するステップが、柔軟基板の第１側面上に複数の第１カーボンナノチューブを生成し、柔軟基板の第２側面上に複数の第２カーボンナノチューブを生成するステップを含み、柔軟基板を繊維層に付着させるステップが、柔軟基板の少なくとも一部を繊維層に縫合するステップを含む、態様１３に記載の方法。
（態様１９）
第１繊維層；
第２繊維層；
第１及び第２繊維層の間に配置されて、
基板；及び
基板に付着され且つ基板に対して少なくともおおむね垂直である複数のカーボンナノチューブ；
を含む中間層；ならびに、
第１及び第２繊維層に注入されたマトリクス材
を備える、複合構造。
（態様２０）
複数のカーボンナノチューブが、基板の第１側面から延びる複数の第１カーボンナノチューブであり、中間層が、基板の第２側面から延びる複数の第２カーボンナノチューブをさらに含む、態様１９に記載の複合構造。
（態様２１）
基板が第１繊維層に溶解接着されている、態様１９に記載の複合構造。
（態様２２）
複合構造を製造するシステムであって、
基板上に複数のカーボンナノチューブを作製する手段と、
複数のカーボンナノチューブが第１繊維層から離れて延びるように基板を第１繊維層に付着させる手段と、
基板の上に第２繊維層を配置して、第１繊維層及び第２繊維層の間に複数のカーボンナノチューブを配置する手段と
を備えるシステム。
（態様２３）
基板と第１及び第２繊維層に樹脂を注入する手段；並びに、
樹脂を硬化させる手段
を更に備える、態様２２に記載のシステム。